(57)【要約】【課題】  本発明は、店舗検索システム、店舗検索装置及び店舗検索方法に関し、例えば携帯電話を用いたシステムに適用して、現在位置の住所等を気にしなくても現在位置近傍で所望する店舗を簡易に発見することができるようにする。【解決手段】  本発明は、店舗をジャンルによりグループ化した各グループ毎のチャンネルにより、店舗を紹介する店舗情報を店舗にそれぞれ設置された無線送信装置から放送し、ユーザーによるジャンルの選択により、対応するチャンネルを選択的に受信して店舗情報による店舗をユーザーに紹介する。【選択図】        図１
2005258770.tif 000002
【特許請求の範囲】
【請求項１】
ユーザーの携帯する情報機器により所望の店舗を検索する店舗検索システムにおいて、
前記店舗をジャンルによりグループ化した各グループ毎にチャンネルを設定し、前記グループに属する店舗をそれぞれ紹介する店舗情報を、前記店舗にそれぞれ設置された無線送信装置から対応する前記チャンネルにより放送し、
前記情報機器における前記ユーザーによるジャンルの選択により、対応する前記チャンネルを受信して前記店舗情報を取得し、該取得した店舗情報による店舗を前記ユーザーに紹介する
ことを特徴とする店舗検索システム。
【請求項２】
前記グループ毎のチャンネルが、
前記グループ毎に設定された周波数帯域である
ことを特徴とする請求項１に記載の店舗検索システム。
【請求項３】
前記情報機器において、前記店舗情報による店舗の紹介により、前記ユーザーより前記店舗の選択を受け付け、対応する店舗へのデータ通信により、前記対応する店舗より無線誘導波を送出し、
前記情報装置における前記無線誘導波の受信により、前記ユーザーを前記対応する店舗に誘導する
ことを特徴とする請求項１に記載の店舗検索システム。
【請求項４】
ユーザーにより携帯して所望の店舗の検索に供する店舗検索装置において、
前記店舗をジャンルによりグループ化した各グループ毎のチャンネルにより、前記グループに属する店舗をそれぞれ紹介する店舗情報が前記各店舗に設けられた無線送信装置より放送され、
前記店舗検索装置は、
前記ユーザーによるジャンルの選択により、対応する前記チャンネルを受信して前記店舗情報を取得し、該取得した店舗情報による店舗を前記ユーザーに紹介する
ことを特徴とする店舗検索装置。
【請求項５】
ユーザーの携帯する情報装置により所望の店舗を検索する店舗検索方法において、
前記店舗をジャンルによりグループ化した各グループ毎のチャンネルにより、前記グループに属する店舗をそれぞれ紹介する店舗情報を前記各店舗に設けられた無線送信装置より放送し、
前記情報装置において、前記ユーザーによるジャンルの選択により、対応する前記チャンネルを受信して前記店舗情報を取得し、該取得した店舗情報による店舗を前記ユーザーに紹介する
ことを特徴とする店舗検索方法。
【発明の詳細な説明】
【技術分野】
【０００１】
本発明は、店舗検索システム、店舗検索装置及び店舗検索方法に関し、例えば携帯電話を用いたシステムに適用することができる。本発明は、店舗をジャンルによりグループ化した各グループ毎のチャンネルにより、店舗を紹介する店舗情報を店舗にそれぞれ設置された無線送信装置から放送し、ユーザーによるジャンルの選択により、対応するチャンネルを受信して店舗情報による店舗をユーザーに紹介することにより、現在位置の住所等を気にしなくても現在位置近傍で所望する店舗を簡易に発見することができるようにする。
【背景技術】
【０００２】
従来、インターネットにより店舗の検索サービスが提供されるようになされており、ユーザーにおいては、この検索サービスに係るホームページをアクセスして、場所、ジャンル等を入力することにより、所望する飲食店等を検索できるようになされている。このようなホームページにあっては、携帯電話によってもアクセスできるようになされており、これにより例えば現在位置近傍の所望する飲食店等を検索できるようになされている。またこのような検索機能と、例えばＧＰＳ（Global Positioning System ）による現在位置情報とに基づいて、このようにして検索した店舗にユーザーを案内する方法も種々に提案されるようになされており、例えば特開２００１−３４３２４７号公報等においては、このような機能を一段と拡張した構成が開示されるようになされている。
【０００３】
しかしながらこのようなインターネットによる従来の店舗の検索にあっては、店舗の所在地を地図により確認することにより、ユーザーにおいて、現在位置の地名、目標となる最寄り駅等を全く知らないような場合には、現在位置近傍の店舗を検索する場合に、所望する店舗を検出できない場合がある。なおこの場合に、ＧＰＳによる現在位置検出機能を利用する方法もあるが、この場合、装置の構成が煩雑になる問題がある。
【０００４】
これに対して実際上、例えば通勤等で頻繁に利用する地下鉄の出入口等にあっても、実際の住所を知らないことが多い。また第三者に案内されて訪れたような場所にあっては、実際の住所を知らない場合が多い。これにより現在位置の住所、最寄り駅等を気にすることなく、現在位置近傍で所望する店舗を簡易に検出することができれば、便利であると考えられる。
【特許文献１】特開２００１−３４３２４７号公報
【発明の開示】
【発明が解決しようとする課題】
【０００５】
本発明は以上の点を考慮してなされたもので、現在位置の住所等を気にしなくても現在位置近傍で所望する店舗を簡易に発見することができる店舗検索システム、店舗検索装置及び店舗検索方法を提案しようとするものである。
【課題を解決するための手段】
【０００６】
かかる課題を解決するため請求項１の発明においては、ユーザーの携帯する情報機器により所望の店舗を検索する店舗検索システムに適用して、店舗をジャンルによりグループ化した各グループ毎にチャンネルを設定し、グループに属する店舗をそれぞれ紹介する店舗情報を、店舗にそれぞれ設置された無線送信装置から対応するチャンネルにより放送し、情報機器におけるユーザーによるジャンルの選択により、対応するチャンネルを受信して店舗情報を取得し、該取得した店舗情報による店舗をユーザーに紹介する。
【０００７】
また請求項４の発明においては、ユーザーにより携帯して所望の店舗の検索に供する店舗検索装置に適用して、店舗をジャンルによりグループ化した各グループ毎のチャンネルにより、グループに属する店舗をそれぞれ紹介する店舗情報が各店舗に設けられた無線送信装置より放送され、店舗検索装置は、ユーザーによるジャンルの選択により、対応するチャンネルを受信して店舗情報を取得し、該取得した店舗情報による店舗をユーザーに紹介する。
【０００８】
また請求項５の発明においては、ユーザーの携帯する情報装置により所望の店舗を検索する店舗検索方法に適用して、店舗をジャンルによりグループ化した各グループ毎のチャンネルにより、グループに属する店舗をそれぞれ紹介する店舗情報を各店舗に設けられた無線送信装置より放送し、情報装置において、ユーザーによるジャンルの選択により、対応するチャンネルを受信して店舗情報を取得し、該取得した店舗情報による店舗をユーザーに紹介する。
【０００９】
請求項１の構成によれば、店舗検索システムに適用して、店舗をジャンルによりグループ化した各グループ毎にチャンネルを設定し、グループに属する店舗をそれぞれ紹介する店舗情報を、店舗にそれぞれ設置された無線送信装置から対応するチャンネルにより放送し、情報機器におけるユーザーによるジャンルの選択により、対応するチャンネルを受信して店舗情報を取得し、該取得した店舗情報による店舗をユーザーに紹介することにより、店舗情報に係る無線通信波を受信可能な範囲に存在する店舗に関して、店舗情報を取得してユーザーに紹介することができ、これにより現在位置の住所等を気にしなくても現在位置近傍で所望する店舗を簡易に発見することができる。
【００１０】
これにより請求項４、請求項５の構成によれば、現在位置の住所等を気にしなくても現在位置近傍で所望する店舗を簡易に発見することができる店舗検索装置、店舗検索方法を提供することができる。
【発明の効果】
【００１１】
本発明によれば、現在位置の住所等を気にしなくても現在位置近傍で所望する店舗を簡易に発見することができる。
【発明を実施するための最良の形態】
【００１２】
以下、適宜図面を参照しながら本発明の実施例を詳述する。
【実施例１】
【００１３】
（１）実施例の構成
図２は、この実施例に係る店舗検索システムを示すブロック図である。この店舗検索システム１は、例えば駅を中心としたエリア、特定の繁華街等の所定範囲に所在する店舗に関して、これら各店舗の内容を紹介する情報（以下、店舗情報と呼ぶ）を各店舗より携帯電話２のユーザーに提供し、これによりユーザーにおいて所望する店舗を検索できるようにする。
【００１４】
このため店舗検索システム１は、これらの店舗をジャンル毎にグループ化し、各グループにそれぞれ店舗情報の提供に供する周波数帯域を割り当て、さらに各グループ内においては、店舗情報の提供に供するタイムスロットを各店舗に割り当てる。これによりこの店舗検索システム１は、図３に示すように、それぞれ各グループ３Ａ、３Ｂ、３Ｃに設定した周波数帯域による情報提供チャンネルＣＨＡ、ＣＨＢ、ＣＨＣ、……による放送により各ジャンルの店舗情報を提供するようになされ、また各グループ３Ａ、３Ｂ、３Ｃ内では、各店舗に設定したタイムスロットにより各店舗の店舗情報を提供するようになされている。なおここでこのジャンルは、インターネット等で店舗等の検索に供する区分とほぼ同一の区分であり、例えば飲食店、各種小売店、公共施設等による区分である。これらのジャンルに関して店舗検索システム１は、飲食店に区分される第１グループ３Ａ、各種小売店に区分される第２グループ３Ｂ、公共施設に区分される第３グループ３Ｃ等が設けられるようになされている。またこのような周波数帯域にあっては、例えばミニＦＭ局に適用される周波数帯域が割り当てられるようになされている。
【００１５】
またこのような店舗情報を送信して、この店舗検索システム１に専用の携帯電話２からのリクエストを各店舗で受信して予約等を受け付け、ユーザーの必要に応じて店舗への誘導に供する無線誘導波であるサポート信号を各店舗から送出する。
【００１６】
このため各グループ３Ａ、３Ｂ、３Ｃの各店舗には、このような店舗情報の放送等に使用する店舗装置４ＡＡ、４ＡＢ、４ＡＣ、……が設けられる。なおこれら店舗装置４ＡＡ、４ＡＢ、４ＡＣ、……は、放送に供する店舗情報の内容、周波数帯域が異なる点を除いて同一に構成されることにより、以下においては、店舗装置４ＡＡについて詳述する。
【００１７】
すなわち店舗装置４ＡＡにおいて、送受信部６は、データ通信用の無線通信装置であり、コントローラ７の制御により動作を切り換え、この店舗装置４ＡＡの属するグループに割り当てられた周波数帯域、この店舗装置４ＡＡが設けられた店舗に係るタイムスロットによりコントローラ７から出力される店舗情報をアンテナ１０から常時送信する。ここでこの店舗情報は、店名、例えば飲食店にあっては和食、洋食、居酒屋等の詳細なジャンル、店舗に固有の識別コードである店ＩＤ、住所、営業時間、現在の混雑状況の情報、アクセス手段等により形成される。
【００１８】
また送受信部６は、このような各グループ３Ａ、３Ｂ、３Ｃによる店舗情報の送信に係る周波数帯域とは別の、携帯電話２からのデータ受信用の周波数帯域（図３において符号ＣＨＲＥにより示すチャンネルである）を常時受信し、この受信結果より、携帯電話２から自己の店舗に係る店ＩＤが設定されたデータ送信が受信されると、このデータの受信をコントローラ７に通知する。またこの通知によるコントローラ７の制御により、このデータ受信用の周波数帯域と、別途、これら各グループ３Ａ、３Ｂ、３Ｃに共通に設けられたデータ送信用の周波数帯域（図３において符号ＣＨＴＸにより示すチャンネルである）とを用いたデータ通信によりこの通知に係る携帯電話２との間で種々のデータを送受し、またデータ送信用の周波数帯域ＣＨＴＸを用いた店ＩＤと電界強度測定用のダミーデータとの送信によりユーザーの誘導に供するサポート信号を送出する。なお送受信部６は、このようなデータ送信用の周波数帯域を用いたデータ送信、サポート信号の送信においても、この店舗装置４ＡＡに割り当てられたタイムスロットによりデータ送信するようになされ、この店舗検索システム１では、店舗情報の送信に供するタイムスロット、このデータ送信、サポート信号に係るタイムスロットが、この店舗検索システム１の動作を統括する図示しないコントローラにより割り当てられるようになされている。
【００１９】
入出力部８は、液晶表示装置等による出力装置と、この表示装置に設けられたタッチパネル、押圧操作子等による入力装置とにより構成され、ユーザーからの予約等を表示して店員に通知し、またこの通知による店員からの操作を受け付ける。顧客データベース（顧客ＤＢ）９は、この店舗装置４ＡＡが設置されてなる店舗の顧客情報を蓄積したデータベースであり、コントローラ７からの指示により顧客情報を検索してコントローラ７に出力する。
【００２０】
コントローラ７は、所定の処理プログラムの実行によりこの店舗装置４ＡＡの動作を制御する演算処理手段であり、送受信部６からデータ受信チャンネルＣＨＲＥによる携帯電話２からの接続が通知されると、この送受信部６における受信結果より携帯電話２に固有のＩＤを送受信部６から取得する。なおここでこの固有のＩＤは、例えば携帯電話２に係るユーザーのメールアドレス、携帯電話２の電話番号等を適用することができる。コントローラ７は、この携帯電話２の接続を入出力部８に表示して店員に通知する。またこのＩＤにより顧客データベース９をアクセスし、併せてこの顧客に係る情報を入出力部８に表示する。なおこの場合に、顧客データベース９に未登録の場合には、併せて顧客データベース９にこの携帯電話２に係る固有のＩＤを登録する。
【００２１】
このようにして店員に通知して、例えば来店お断り等のユーザーでない場合、コントローラ７は、送受信部６の制御によりデータ送信用のチャンネルＣＨＴＸを使用して、携帯電話２に固有のＩＤを設定して予約受け付けのメニューを携帯電話２に送信する。これに対して来店お断り等のユーザーの場合には、その旨通知して接続を切断する。またこの予約受け付けのメニューの携帯電話２における操作を送受信部６を介して検出し、この場合に、携帯電話２から案内が指示されている場合には、送受信部６の制御により携帯電話２に固有のＩＤを設定してサポート信号を送出する。なお、満員により予約を受け付けられない場合には、入出力部８の操作により、その旨通知して接続を切断するようになされている。
【００２２】
これにより店舗装置４ＡＡでは、割り当ての周波数帯域、タイムスロットにより店舗情報を送信し続けて、この店舗情報に設定された店ＩＤにより携帯電話２からアクセスが得られると予約を受け付け、ユーザーの希望によりサポート信号を送出するようになされている。
【００２３】
これに対して携帯電話２において、通信部１２は、携帯電話に係る無線通信手段であり、コントローラ１３の制御によりアンテナ１４を介して回線接続処理を実行した後、マイク１５から得られる音声信号を処理して通話対象に送出し、また通話対象から得られる音声データを処理してスピーカ１６から出力する。これによりこの携帯電話２では、通常の携帯電話と同様に所望の通話対象と通話できるようになされている。
【００２４】
表示部１８は、コントローラ１３の制御により各種メニュー等を表示する液晶表示装置等により形成され、操作部１７は、この携帯電話２のテンキー、表示部１８に表示された各種メニューの選択操作子等により形成される。
【００２５】
送受信部１９は、店舗装置４ＡＡ〜４ＡＣに対応するデータ送受信装置であり、コントローラ１３の制御により所望のアンテナ２０を介して店舗情報を受信して受信結果をコントローラ１３に通知し、またコントローラ１３により指示される各種の情報を送信する。この処理において、送受信部１９は、サポート信号の電界強度を検出し、この検出結果をコントローラ１３に通知する。
【００２６】
コントローラ１３は、所定の処理プログラムの実行によりこの携帯電話２の動作を制御する演算処理手段であり、ユーザーによる操作部１７の操作により、また通信部１２を介して得られる着信の通知により、通信部１２の動作を制御することにより、通話対象との間で回線を接続し、一連の通話に係る処理を実行する。これに対して操作部１７の操作によりユーザーが店舗検索を指示すると、図１の処理手順の実行により、この店舗検索システム１を利用してユーザーの所望する店舗を検索する。
【００２７】
すなわちコントローラ１３は、ユーザーにより店舗検索が指示されると、ステップＳＰ１からステップＳＰ２に移り、表示部１８にジャンル選択メニューを表示する。ここでジャンル選択メニューは、この店舗検索システム１における各グループに対応するジャンルのメニューであり、コントローラ１３は、ジャンル選択メニューを表示すると、ステップＳＰ３に移ってユーザーによる操作部１７の操作を検出してジャンルの選択を受け付ける。また続くステップＳＰ４において、ユーザーの選択したジャンルに対応する周波数帯域について、店舗情報の全ての受信を送受信部１９に指示する。これによりコントローラ１３は、送受信部１９でこの周波数帯域に係るタイムスロットを順次受信し、このユーザーの選択したジャンルに係る店舗情報を全て取得する。
【００２８】
コントローラ１３は、続くステップＳＰ５において、このようにして取得した店舗情報を表示部１８で表示する。また続くステップＳＰ６において、このようにして表示した店舗情報に係る店舗をユーザーが選択したか否か判断する。ここでユーザーにおいては、この店舗検索システム１により紹介された店舗については、来店を希望しない場合と考えられることにより、コントローラ１３は、このステップＳＰ６で否定結果が得られると、ステップＳＰ６からステップＳＰ７に移ってこの処理手順を終了する。これに対してこのようにして表示した店舗情報がユーザーにより選択された場合、コントローラ１３は、ステップＳＰ６からステップＳＰ８に移る。
【００２９】
ここでコントローラ１３は、送受信部１９の動作を制御し、データ通信チャンネルＣＨＲＥにより、このユーザーの選択した店舗情報に係る店ＩＤ、携帯電話２に固有のＩＤの送出を指示し、これによりユーザーの選択に係る店舗装置に対して予約をリクエストする。これによりこの店舗検索システム１では、例えば店舗装置４ＡＡに対して予約をリクエストした場合に、店舗装置４ＡＡにおける顧客データベース９の検索により来店が拒否されていない場合、さらにはこの店舗装置４ＡＡに係る店舗が満員で無い場合、データ通信チャンネルＣＨＴＸを介して店舗装置４ＡＡから通知が得られることになる。
【００３０】
これによりコントローラ１３は、送受信部１９にデータ通信チャンネルＣＨＴＸの監視を指示し、ここでこの携帯電話２に係るＩＤが設定されてなる対応店ＩＤのタイムスロットが検出されると、続くステップＳＰ９において、このタイムスロットによるデータ通信の内容を表示部１８で表示し、来店が拒否された場合、満員の場合には、ステップＳＰ７に移ってこの処理手順を終了する。
【００３１】
これに対して来店が拒否されていない場合、満員でない場合、コントローラ１３は、ステップＳＰ９からステップＳＰ１０に移り、ユーザーによる操作部１７の操作を受け付ける。またこの操作により送受信部１９の動作を制御し、データ通信チャンネルＣＨＲＥにより、この店舗情報に係る店ＩＤ、携帯電話２に固有のＩＤを設定して対応する店舗装置に確認を通知する。また併せてサポート信号による道案内が必要か否かの入力を受け付け、サポート信号が必要との操作が受け付けられると、併せてサポート信号の送出を店舗装置にリクエストする。
【００３２】
また続くステップＳＰ１１において、このようにしてサポート信号の送出をリクエストしたか否か判断し、ここで否定結果が得られると、ステップＳＰ７に移り、この処理手順を終了する。しかしてこの場合、コントローラ１３は、ステップＳＰ６でユーザーが選択した店舗情報に係る住所等を操作部１７の操作に応動して表示部１８に表示し、これによりこの場合、ユーザーにおいては例えば住所を手がかりに店舗に来店するようになされ、これにより見知らぬ土地で現在位置が判らないような場合にあっても、現在位置近傍より所望する店舗を検索して来店できるようになされている。
【００３３】
これに対してサポート信号の送出をリクエストした場合、コントローラ１３は、ステップＳＰ１１からステップＳＰ１３に移る（図４）。ここでコントローラ１３は、店ＩＤ、携帯電話２に固有のＩＤを基準にしたデータ通信チャンネルＣＨＴＸの監視を送受信部１９に指示し、送受信部１９から受信結果に係る電界強度の検出結果を取得する。また続くステップＳＰ１４において、このようにして検出される電界強度が直前の検出結果より一定値以上低下しているか否か判断する。ここで肯定結果が得られると、コントローラ１３は、ステップＳＰ１５に移り、予約した店舗から遠ざかっている旨、表示部１８を介してユーザーに警告を通知した後、ステップＳＰ１３に戻る。
【００３４】
これに対してステップＳＰ１４で否定結果が得られると、ステップＳＰ１４からステップＳＰ１６に移り、電界強度が一定値以上であるか否か判断することにより、所望する店舗に対して道案内の必要が無い程に接近しているか否か判断する。ここで肯定結果が得られると、コントローラ１３は、ステップＳＰ７に移ってこの処理手順を終了するのに対し、ステップＳＰ１６で否定結果が得られると、ステップＳＰ１３に戻る。
【００３５】
これによりコントローラ１３は、繰り返しサポート信号の電界強度を検出してユーザーを店舗まで誘導するようになされている。
【００３６】
（２）実施例の動作
以上の構成において、この店舗検索システム１では、この店舗検索システム１に係る店舗毎に無線送信装置である店舗装置４ＡＡ、４ＡＢ、４ＡＣ、……が設けられ、各店舗装置４ＡＡ、４ＡＢ、４ＡＣ、……から各店舗を紹介する店舗情報が、これら店舗をジャンル毎にグループ化してなる各グループのチャンネルにより放送される。また携帯電話２により、ユーザーが店舗検索に係るジャンルを指定すると、このジャンルに対応するチャンネルが携帯電話２で受信され、このようにして放送されてなる対応ジャンルの店舗情報が携帯電話２で取得されてユーザーに提供される。
【００３７】
これによりこの店舗検索システム１において、携帯電話２を所持するユーザーにおいては、現在位置を知らない場合であっても、この店舗情報を受信可能な近傍に存在する店舗に関して、ジャンル毎に店舗を確認することができ、これにより現在位置を気にすることなく所望する店舗を簡易に検出することができる。
【００３８】
またこのような各グループの店舗情報放送用のチャンネルが、各グループに割り当てられた周波数帯域であることにより、携帯電話２においては、ユーザーの選択したジャンルに応じて受信周波数を切り換えるだけの簡易な処理により、ユーザーの所望するジャンルに係る店舗情報を取得することができ、これにより簡易な構成でユーザーの所望する店舗を紹介することができる。
【００３９】
この店舗検索システム１では、このようにしてユーザーの所望するジャンルの店舗情報により店舗を紹介して、ユーザーにより店舗が選択されると、データ通信用のチャンネルＣＨＲＥ、ＣＨＴＸを用いた対応店舗の店舗装置との間のデータ通信により、予約が受け付けられる。またこのようにしてユーザーにより誘導が指示されると、店舗装置から無線誘導用のサポート信号が送出される。また携帯電話２において、このサポート信号を受信して、電界強度が低下した場合には、ユーザーに注意が喚起される。
【００４０】
これによりこの店舗検索システム１では、この無線誘導波の電界強度を手がかりにして、所望する店舗に辿り着くことができ、これにより見ず知らずの土地等であっても、所望する店舗に確実に到達することができる。
【００４１】
これらによりこの店舗検索システム１では、店選びの時間を短縮することができ、またこの店選びも正確に実行することができる。また店舗情報として混雑の程度等を放送することにより、所望する店舗の現在の状況を簡易かつ確実に把握することができ、例えば来店して満席により入場を断られる等の無駄足を防止することができる。また無線誘導波により見つけ難い店についても、簡易に発見することができ、また店舗側においてもこのようなユーザーの利便性の増大による顧客増大を図ることができる。
【００４２】
（３）実施例の効果
以上の構成によれば、店舗をジャンルによりグループ化した各グループ毎のチャンネルにより、店舗を紹介する店舗情報を店舗にそれぞれ設置された無線送信装置から放送し、ユーザーによるジャンルの選択により、対応するチャンネルを選択的に受信して店舗情報による店舗をユーザーに紹介することにより、現在位置の住所等を気にしなくても現在位置近傍で所望する店舗を簡易に発見することができる。
【００４３】
またこのグループ毎のチャンネルが、グループ毎に設定された周波数帯域であることにより、ユーザーの選択したジャンルに応じて単に受信周波数を切り換えるだけの簡易な構成により所望する店舗を検出することができる。
【００４４】
また対応する店舗より無線誘導波を送出し、この無線誘導波の受信によりユーザーを店舗に誘導することにより、所望する店舗に確実に来店することができる。
【実施例２】
【００４５】
なお上述の実施例においては、周波数帯域の設定により各ジャンルのチャンネルを設定する場合について述べたが、本発明はこれに限らず、例えばスペクトラム拡散等の手法を適用して、さらには時分割多重化の手法を適用して同一周波数帯域にこの種のチャンネルを設定するようにしてもよい。
【００４６】
また上述の実施例においては、ミニＦＭ放送の周波数帯域により店舗情報を放送する場合について述べたが、本発明はこれに限らず、必要に応じて種々の周波数帯域に設定することができる。
【００４７】
また上述の実施例においては、携帯電話から店舗装置に対して無線通信により予約等をリクエストする場合について述べたが、本発明はこれに限らず、携帯電話から店舗装置に対する各種のリクエスト等にあっては、携帯電話の回線を利用して実行するようにしてもよい。
【００４８】
また上述の実施例においては、１種類の階層により店舗をジャンル分けする場合について述べたが、本発明はこれに限らず、複数の階層により店舗をジャンル分けするようにしてもよい。
【００４９】
また上述の実施例においては、携帯電話により店舗を検索する場合について述べたが、本発明はこれに限らず、検索用の専用端末装置により検索するようにしてもよい。
【産業上の利用可能性】
【００５０】
本発明は、例えば携帯電話を用いた店舗の検索システムに適用することができる。
【図面の簡単な説明】
【００５１】
【図１】本発明の実施例に係る携帯電話におけるコントローラの処理手順を示すフローチャートである。
【図２】本発明の実施例に係る店舗検索システムを示すブロック図である。
【図３】図２の店舗検索システムにおける周波数の割り当てを示す特性曲線図である。
【図４】図１の続きを示すフローチャートである。
【符号の説明】
【００５２】
１……店舗検索システム、２……携帯電話、３Ａ〜３Ｃ……グループ、４ＡＡ〜４ＡＣ……店舗装置、６、１９……送受信部、７、１３……コントローラ
【図１】
2005258770.tif 000003
【図２】
2005258770.tif 000004
【図３】
2005258770.tif 000005
【図４】
2005258770.tif 000006